(57)【特許請求の範囲】
【請求項１】
所定の厚さを有するアスファルトマットを水平面より傾斜して吊り下げる装置であって、
平坦な構面を形成する底部を有し、当該アスファルトマットの上面に被せられる吊下型枠と、
この吊下型枠にその両端部がそれぞれ連係されるとともに、その非中間部をもって揚重される吊り紐材と、
当該アスファルトマットの少なくとも傾斜下側端面に当接するように前記吊下型枠に設けられた所定形状のストッパーと、
当該アスファルトマットに埋設されている緊張材を緊張した状態でその端部を保持するための緊張材固定具と、
からなることを特徴とするアスファルトマット斜め吊り装置。
【請求項２】
前記吊下型枠が、相互にスライド自在な複数の分割型枠からなることを特徴とする請求項１記載のアスファルトマット斜め吊り装置。
【請求項３】
水平面上に載置されたアスファルトマットの上面に、平坦な構面を形成する底部を有する吊下型枠を被せ、
次にこのアスファルトマットに埋設されている緊張材を緊張してその両端部を前記吊下型枠に固定し、
この状態を保持したまま前記吊下型枠を斜めに吊り下げて目標位置まで運搬する、
ことを特徴とするアスファルトマット斜め吊り方法。
【発明の詳細な説明】
【０００１】
【発明の属する技術分野】
本発明は、アスファルトマットを斜めに吊り下げて、貯水池、ダム、堤防などの水利構造物の斜面に敷設するための装置及び方法に関する。
【０００２】
【従来の技術】
従来より、フィルダムのような水利構造物の斜面に遮水層を形成する手段としては、アスファルトフィニッシャを中心とした斜面専用の舗装機械を用いて、アスファルト混合物を斜面上に積層して舗設するものが一般的であるが、このような機械施工は設備が大がかりであり、急勾配の斜面には適用できない等の欠点がある。また、ゴムシートや不織布のような基材に瀝青質を含浸させた遮水シートを人力で斜面上に敷設していく工法もあるが、現実には困難な場合が多い。すなわち、例えば廃棄物処分場の遮水層は法令等の規定により一定以上の厚みを確保しなければならないため、遮水材の単位面積あたりの重量は相当大きくなる。したがって、人力で施工するためには、遮水材を分割することにより一枚ごとに適当な重量のピースとして、これらを継ぎ合わせることになるが、その結果遮水材が全体として継目だらけとなり所定の機能を発揮できなくなってしまう。そこで、近年においては、かかる欠点のないアスファルトマット工法を水利構造物の斜面の遮水層形成に適用することが広く検討されているところである。
【０００３】
ここでいうアスファルトマット工法とは、所定寸法の型枠内にアスファルトマスチックを流し込み、また補強材としての補強網（ガラスクロス、麻網、金網等）、吊下敷設用の緊張材（ワイヤ、鉄筋等が含まれる。以下、ワイヤＭｗとして表示するものとする。）を埋め込んでアスファルトマットＭを形成し、図６に示すように、ワイヤＭｗの両端を吊下型枠１に固定し、この吊下型枠１に吊り紐材２の両端を連係し、クレーンで吊り下げ敷設する工法である。この工法に用いるアスファルトマットＭは、防波堤捨石マウンド等の海洋構造物に適用されて土砂の流出、洗掘等を防止することができるものであり、また、ケーソンや護岸等の重力式構造物の底面に取り付けた場合には波力等に対する滑動抵抗を増大させることができるものである。
【０００４】
ところが、このようなアスファルトマット工法をそのまま水利構造物の斜面の遮水層形成に適用した場合には、
▲１▼アスファルトマットを組成するアスファルトマスチックは流動性に富むため、斜面勾配が急な場合にはアスファルトマスチックが流動してしまい、アスファルトマットに要求される所定の遮水機能を発揮できなくなる。
▲２▼アスファルトマスチックはクッカーによる混合加熱を要するため、プラントで混合される通常のアスファルト混合物に比して一日あたりの施工量が少ない。
▲３▼アスファルトマスチックのアスファルト量は、フィルダム等の遮水層に使用されるアスファルト混合物の１．５倍程度と多いため、材料費が高い。
といった材質に起因した問題が生じる。したがって、アスファルトマットの材質をアスファルトマスチックからフィルダム遮水壁用のアスファルト混合物に変更した上で、アスファルトマット工法を水利構造物の斜面の遮水層形成に適用できれば理想的と言える。
【０００５】
【発明が解決しようとする課題】
しかしながら現実には、フィルダム遮水壁用のアスファルト混合物はアスファルトマスチックと異なり大きな歪みを許容できないため、アスファルトマスチックの場合と同様の状態で吊り下げるとアスファルトマットに亀裂が発生し、遮水機能が損なわれてしまう。特にアスファルトマットを斜めに吊り下げる場合には、水平に吊り下げるときよりもアスファルトマットの撓みが大きくなる結果、亀裂もさらに発生しやすくなることになる。
【０００６】
そこで本発明は、上記問題を解決すべく、大きな歪みを許容できないフィルダム遮水壁用のアスファルト混合物により形成したアスファルトマットであっても、これを斜めに吊り下げ、敷設できるようにしたアスファルトマット斜め吊り装置及び方法を提供することにより、水利構造物の斜面の遮水層を簡易かつ確実に形成できるようにすることを目的とするものである。
【０００７】
【課題を解決するための手段】
すなわち、請求項１記載の発明は、所定の厚さを有するアスファルトマットを水平面より傾斜して吊り下げる装置であって、平坦な構面を形成する底部を有し、当該アスファルトマットの上面に被せられる吊下型枠と、この吊下型枠にその両端部がそれぞれ連係されるとともに、その非中間部をもって揚重される吊り紐材と、当該アスファルトマットの少なくとも傾斜下側端面に当接するように前記吊下型枠に設けられた所定形状のストッパーと、当該アスファルトマットに埋設されている緊張材を緊張した状態でその端部を保持するための緊張材固定具と、からなることを特徴とするアスファルトマット斜め吊り装置である。
【０００８】
このような構成のアスファルトマット斜め吊り装置によれば、適当な手段によりアスファルトマットに埋設されている緊張材を緊張しその両端を緊張材固定具で固定すれば、吊下型枠を吊り下げたときであってもアスファルトマットは殆ど撓むことなく、これに亀裂が発生しない。したがって、大きな歪みを許容できないフィルダム遮水壁用のアスファルト混合物により形成したアスファルトマットであっても、その遮水機能を減じることなく円滑に吊り下げることができる。そして、吊り紐材の繋止点を中間部から非中間部へスライドさせて吊下型枠が水平面から傾斜した状態となっても、アスファルトマットの傾斜下側端面はストッパーで押さえられているため、アスファルトマットが自重で吊下型枠に対してずれていくこともなく、アスファルトマットを安定的に斜めに吊り下げることが可能となる。
【０００９】
次に、請求項２記載の発明は、請求項１記載の発明において、前記吊下型枠が、相互にスライド自在な複数の分割型枠からなることを特徴とする。
【００１０】
このような構成のアスファルトマット斜め吊り装置であれば、分割型枠がスライドして相互に遠ざかることによりアスファルトマットに埋設されている緊張材を緊張することができる。したがって、特別の緊張材緊張装置が不要となり、より簡易に請求項１記載の発明と同様の作用を奏することができる。
【００１１】
また、請求項３記載の発明は、水平面上に載置されたアスファルトマットの上面に、平坦な構面を形成する底部を有する吊下型枠を被せ、次にこのアスファルトマットに埋設されている緊張材を緊張してその両端部を前記吊下型枠に固定し、この状態を保持したまま前記吊下型枠を斜めに吊り下げて目標位置まで運搬する、ことを特徴とするアスファルトマット斜め吊り方法である。
【００１２】
このようにアスファルトマットに埋設されている緊張材を緊張してその両端を吊下型枠に固定し、この状態を保持したまま吊下型枠を斜めに吊り下げれば、アスファルトマットは殆ど撓まない。したがって、大きな歪みを許容できないフィルダム遮水壁用のアスファルト混合物により形成したアスファルトマットであっても、その遮水機能を減じることなく円滑に吊り下げることができる。
【００１３】
【発明の実施の形態】
以下、添付図面に示す実施の形態に基づいて、本発明を詳細に説明する。なお、同一要素には同一符号を用い、重複する説明は省略するものとする。
【００１４】
図１は、本発明に係るアスファルトマット斜め吊り装置の一実施形態を表した側面図であり、符号１は吊下型枠、符号２は吊り紐材、符号３はストッパー、符号４は緊張材固定具たるワイヤ固定具、符号Ｍはアスファルトマットを示す。
【００１５】
吊下型枠１は、従来のものと同様にシンプルビームを組み合わせて枠状に形成したものである。この吊下型枠１は、吊り下げられたときのアスファルトマットＭの自重による撓みを極力小さくするために、アスファルトマットＭのもとのマット状の形態を保持する型としての役割を果たすものである。すなわち、後述するように、アスファルトマットＭを吊り下げるときには、これに埋設されているワイヤＭｗを緊張して、アスファルトマットＭを吊下型枠１の底面に押しつけるような格好となる訳であるから、吊下型枠１の底面は全体として平面状であることが必要であり、また、アスファルトマットＭの上面と吊下型枠１の底面との接触面積が大きい程有利である。したがって、吊下型枠１の底面は平滑な板状体からなることが望ましいが、棒状部材を平面格子状に組んだ枠体等であってもよい。かかる観点より、特許請求の範囲において、吊下型枠１の底面について「平坦な構面を形成する底部」と表現している。
【００１６】
吊り紐材２は、従来のものと同様にクレーン等に繋止される紐材であり、その両端部はそれぞれ吊下型枠１の上面の両端近傍に連係されている。したがって、この吊り紐材２に沿ったいずれかの位置においてこれをクレーンフック等に連結することにより、吊下型枠１及びアスファルトマットＭを水平にも斜めにも吊り下げることができるようになっている。吊り紐材２のこのような役割に鑑みれば、その材質はワイヤロープ、チェーン等の所定の引張強度を有するものであればよいことが分かる。
【００１７】
ストッパー３は、吊下型枠１の底面に固定された所定形状を有する部材である（図２参照）。同図からも明らかなように、このストッパー３の役割は２つある。すなわち、▲１▼アスファルトマットＭを斜めに吊り下げた場合に、これが自重により吊下型枠１の底面に沿って滑り落ちてこないようにその傾斜下側端面を押さえること、▲２▼アスファルトマットＭに埋設されているワイヤＭｗの緊張端又は固定端がその走査線上にない場合であっても、ワイヤＭｗをその方向に緊張できるように力の作用方向を変換すること（仮に図２においてストッパー３がないとしたならば、緊張されたワイヤＭｗは一点鎖線で示す位置に移動しようとするから、アスファルトマットＭの端部が破断してしまうことになる。）である。
【００１８】
したがって、ストッパー３は上記役割を果たすものであれば、図２に示したものに限定されず他にも様々な形状のものが考えられる。図３（ａ）〜（ｆ）はストッパー３の他の実施例を表す部分縦断面図であり、いずれも、▲１▼ａｂ面でアスファルトマットＭの傾斜下側端面に当接して、これを押さえているとともに、▲２▼ワイヤＭｗが固定されるワイヤ固定具４は吊下型枠１の端部側面に位置しているが、アスファルトマットＭ端部の破断を防止するため、点ａを経由してワイヤＭｗを緊張している。
【００１９】
ワイヤ固定具４は、緊張されたワイヤＭｗの両端を固定するための治具であって、ここでは吊下型枠１の端部側面に設けられている。このようにワイヤ固定具４がワイヤＭｗの走査線上にない場合であっても、ストッパー３によりアスファルトマットＭの端部を破断させずにワイヤＭｗを緊張できるようになっていることは前に述べたとおりである。
【００２０】
なお、図２及び図３は、水利構造物の斜面中腹ではなく、斜面の下端（底面に近い部分）にアスファルトマットＭの下端を合わせて敷設することを想定した図である。これらの図からも分かるように、アスファルトマットＭの一部（傾斜下端角部）が斜面下端に接するときに、これより先に吊下型枠１やストッパー３が斜面下端に接することにならないよう、吊下型枠１やストッパー３の形状が工夫されている。
【００２１】
ここで、アスファルトマットＭに埋設されたワイヤＭｗを緊張する方法の一実施例を図４に示す。同図において、符号５は複数のワイヤＭｗの端部を揃えてこれらを同じ距離だけ引っ張るための治具、符号６は張力計、符号７は油圧ジャッキ、符号８は固定端である。この場合油圧ジャッキ７は、固定端８に反力をとりつつ治具５を引っ張ることになり、このときのワイヤＭｗの張力は張力計６で計測される。したがって、アスファルトマットＭに有害な歪みを生じさせないようにできるワイヤＭｗの張力を予め算出しておき、張力計６を見ながらその所定の張力まで緊張することになる。なお、油圧ジャッキ７は同様の機能を有するスクリュージャッキ等であってもよい。
【００２２】
また図５は、アスファルトマットＭに埋設されたワイヤＭｗを緊張する方法の別の実施例を示しており、相互にスライド自在な分割型枠１ａと分割型枠１ｂとを組み合わせて吊下型枠１を構成したものである。この場合、ワイヤＭｗの端部をワイヤ固定具４に固定した状態で、油圧ジャッキ７が分割型枠１ａと分割型枠１ｂとを互いに遠ざかる方向に押し広げることにより、ワイヤＭｗが緊張される。また、その際に必要な張力は、図４の場合と同様に張力計６（図示せず）等で計測すればよい。なお、油圧ジャッキ７は同様の機能を有するスクリュージャッキ等であってもよい。また、ここでは吊下型枠１を二つの分割型枠１ａ，１ｂから構成しているが、これに限らず三以上の分割型枠から構成してもよい。
【００２３】
【実施例】
ここで、アスファルトマットＭに有害な歪みを生じさせないためにはワイヤＭｗの緊張力をどの程度にすればよいか、また、その緊張力に耐えるワイヤＭｗの径はどのくらいか、について検討する。前提条件として、アスファルトマットＭの外形寸法を長さ9.0m×幅4.0m×厚さ5.0cm とし、図７（ａ）に示すようにワイヤＭｗを0.8m間隔で５本埋設しておく（ワイヤは JIS G3525 4号 6×24ロープA種とする。）。また、アスファルトマットＭの比重は2.30t/m3（但しワイヤの重量は無視する。）、吊下型枠１の傾斜勾配は 1/1.5（33.7°) 、ワイヤＭｗの破断に対する安全率は2.0 と設定する。
【００２４】
ここで図７（ｂ）に、斜めに吊り下げたアスファルトマットＭを側面視した曲線を示す。このとき、垂下比Ｓ0 、アスファルトマットＭの全長ｌ0 、任意点の垂下量ｆox、上下支点のロープ張力ＴA0, ＴB0を以下のように定義する。
【００２５】
【数１】
0003974719.tif 000002
【００２６】
【数２】
0003974719.tif 000003
【００２７】
【数３】
0003974719.tif 000004
【００２８】
【数４】
0003974719.tif 000005
【００２９】
なお、ｆo (m) は中央垂下量、ｗ(t/m) はアスファルトマットＭの単位長さあたりの重量、Ｗ(t) は支点間内のアスファルトマットＭの全重量である。上式から、中央垂下量ｆo とワイヤ張力ＴA0との関係が以下のグラフのように表される。
【００３０】
【表１】
0003974719.tif 000006
【００３１】
ｆo =0.2m とすると、アスファルトマットＭの下面の曲げ歪みは約0.1%となる。この程度の曲げ歪みであれば、大きな歪みを許容できないフィルダム遮水壁用のアスファルト混合物により形成したアスファルトマットＭにも有害な亀裂が生じない。したがって、上のグラフを参照して、このｆo の値に対応するＴA0≒5tを生じさせるようにワイヤＭｗを緊張すれば、アスファルトマットＭを斜めに吊り下げたときにこれに有害な亀裂が生じないことになる。
【００３２】
また、このＴA0の値に対応するワイヤＭｗの径は、安全率を考慮すれば、 4号 6×24ロープA 種の切断荷重を表した下の表２より、14mmとなる。
【００３３】
【表２】
0003974719.tif 000007
【００３４】
【発明の効果】
以上説明したように、請求項１記載のアスファルトマット斜め吊り装置によれば、適当な手段によりアスファルトマットに埋設されている緊張材を緊張しその両端を緊張材固定具で固定すれば、吊下型枠を吊り下げたときであってもアスファルトマットは殆ど撓むことなく、これに亀裂が発生しない。したがって、大きな歪みを許容できないフィルダム遮水壁用のアスファルト混合物により形成したアスファルトマットであっても、その遮水機能を減じることなく円滑に吊り下げることができる。そして、吊り紐材の繋止点を中間部から非中間部へスライドさせて吊下型枠が水平面から傾斜した状態となっても、アスファルトマットの傾斜下側端面はストッパーで押さえられているため、アスファルトマットが自重で吊下型枠に対してずれていくこともなく、アスファルトマットを安定的に斜めに吊り下げることが可能となる。
【００３５】
また、請求項２記載のアスファルトマット斜め吊り装置であれば、分割型枠がスライドして相互に遠ざかることによりアスファルトマットに埋設されている緊張材を緊張することができる。したがって、特別の緊張材緊張装置が不要となり、より簡易に請求項１記載の発明と同様の作用を奏することができる。
【００３６】
さらに、請求項３記載のアスファルトマット斜め吊り方法のように、アスファルトマットに埋設されている緊張材を緊張してその両端を吊下型枠に固定し、この状態を保持したまま吊下型枠を斜めに吊り下げれば、アスファルトマットは殆ど撓まない。したがって、大きな歪みを許容できないフィルダム遮水壁用のアスファルト混合物により形成したアスファルトマットであっても、その遮水機能を減じることなく円滑に吊り下げることができる。
【図面の簡単な説明】
【図１】本発明に係るアスファルトマット斜め吊り装置の一実施形態を表した縦断面図である。
【図２】図１の要部拡大図である。
【図３】ストッパーの他の実施例を表す部分縦断面図である。
【図４】ワイヤの緊張方法を表す一実施例である。
【図５】ワイヤの緊張方法を表す別の実施例である。
【図６】従来のアスファルトマット吊り下げ方法を表す側面図である。
【図７】ワイヤの張力を検討することにより使用ワイヤの径を算出するためのアスファルトマットのモデルであって、（ａ）が平面図、（ｂ）が側面視した曲線である。
【符号の説明】
１    …  吊下型枠
１ａ  …  分割型枠
１ｂ  …  分割型枠
２    …  吊り紐材
３    …  ストッパー
４    …  ワイヤ固定具（緊張材固定具）
５    …  治具
６    …  張力計
７    …  油圧ジャッキ
８    …  固定端
Ｍ    …  アスファルトマット
Ｍｗ  …  ワイヤ（緊張材）
【図１】
0003974719.tif 000008
【図２】
0003974719.tif 000009
【図３】
0003974719.tif 000010
【図４】
0003974719.tif 000011
【図５】
0003974719.tif 000012
【図６】
0003974719.tif 000013
【図７】
0003974719.tif 000014